(57)【特許請求の範囲】
【請求項１】
ＩＣタグを用いた植物生育履歴管理システムであって、
植物をタネの状態から生育する生育工程における生育者の端末と、
前記植物のタネを付着させて土に植えることができる構造のＩＣタグと、
前記ＩＣタグに記憶されるＩＤ情報の読み書きが可能なタグリーダライタ装置と、
前記生育者の端末からネットワークを通じてアクセスされる第１の管理サーバ装置と、
前記第１の管理サーバ装置が管理し前記植物の生育履歴情報を格納する第１のＤＢとを有し、
前記生育工程において、前記生育者により前記ＩＣタグに前記植物のタネを付着させて土に植えられ、前記タグリーダライタ装置により前記ＩＣタグのＩＤ情報が読み取られ、前記生育者の端末から前記第１の管理サーバ装置へアクセスし、前記植物のタネと前記ＩＣタグのＩＤ情報とを関係付けた情報を前記第１のＤＢに格納することにより、当該植物のタネの状態からの個体管理を含む生育履歴管理を行い、
前記第１の管理サーバ装置は、前記生育者の端末からのアクセスに対し、前記植物の生育履歴管理のための第１の画面を提供し、前記生育者の操作に基づき、前記第１の画面で、前記ＩＤ情報と、前記植物の名称、品種と、生育地と、生育者と、生育開始日、生育終了日と、培地・肥料・薬剤を含む生育方法ないし生育環境の情報と、を参照及び編集可能とし、
前記ＩＣタグは、アンテナ部と、ＩＣチップと、それらを被覆する防水性の本体部と、を有し、前記本体部は、縦方向に伸びる軸部と、前記軸部から横方向に伸びる１つ以上の突起部とを有し、前記突起部は、前記植物のタネを付着及び保持させるタネ付着部を有し、
前記ＩＣタグは、前記突起部を複数有し、前記軸部の縦方向に対する２つ以上の段の位置に前記突起部及びそのタネ付着部がそれぞれ設けられ、前記タネ付着部にタネが付着された状態で本植物用ＩＣタグが地中に植えられた際に、タネが生育して下方に伸びる根の部分があるとき、前記複数の突起部及び軸部に対して根が絡むように設計された形状であること、を特徴とする、ＩＣタグを用いた植物生育履歴管理システム。
【請求項２】
請求項１記載のＩＣタグを用いた植物生育履歴管理システムにおいて、
前記生育工程で生育された植物を消費者に対して流通させる流通工程のシステムにおいて、前記生育工程のＩＣタグの第１のＩＤを引き継ぎ、当該第１のＩＤまたは当該第１のＩＤに関係付けられた第２のＩＤを流通工程のＩＤとして管理し、
前記消費者が前記植物を購入する消費工程において、当該植物に関係付けられたＩＤ情報が端末に入力されると、当該ＩＤ情報をもとに当該端末からネットワークを通じて前記第１の管理サーバ装置の第１のＤＢの生育履歴情報へアクセスし、前記消費者に対し当該植物に関する生育履歴情報を表示する画面を提供すること、を特徴とする、ＩＣタグを用いた植物生育履歴管理システム。
【請求項３】
請求項１記載のＩＣタグを用いた植物生育履歴管理システムにおいて、
前記生育者の端末からネットワークを通じてアクセスされる第２の管理サーバ装置と、
前記第２の管理サーバ装置が管理し前記植物の生育履歴情報に関する説明情報を格納する第２のＤＢとを有し、
前記第２の管理サーバ装置は、前記生育者の操作に基づき、前記第１のＤＢの植物の生育履歴情報の内容を変換処理して前記説明情報を作成し前記第２のＤＢに格納する情報変換部を有し、
前記第２の管理サーバ装置は、前記植物を購入する消費者の端末からのアクセスに対し、前記植物の生育履歴情報に関する説明情報のための第２の画面を提供し、
前記第２の画面で、前記ＩＤ情報と、前記植物の名称、品種と、生育地と、生育者と、生育開始日、生育終了日と、培地・肥料・薬剤を含む生育方法ないし生育環境の説明情報と、当該植物の含有成分の情報と、を閲覧可能とすること、を特徴とする、ＩＣタグを用いた植物生育履歴管理システム。
【請求項４】
請求項１記載のＩＣタグを用いた植物生育履歴管理システムにおいて、
前記ネットワークに接続される第三者システムを有し、
前記第三者システムは、
前記第１の管理サーバ装置の第１のＤＢの前記植物の生育履歴情報を参照して、前記生育方法ないし生育環境に関する診断・評価処理を行い、その診断結果情報を、前記第１のＤＢに格納し、前記生育者及び消費者に対して提供可能とする、診断部を有すること、を特徴とする、ＩＣタグを用いた植物生育履歴管理システム。
【請求項５】
請求項１記載のＩＣタグを用いた植物生育履歴管理システムにおいて、
前記ネットワークに接続される第三者システムを有し、
前記第三者システムは、
前記生育工程で生育された植物の成分に関する分析処理を行い、その分析結果情報を、前記第１のＤＢに格納し、前記生育者及び消費者に対して提供可能とする、分析部を有すること、を特徴とする、ＩＣタグを用いた植物生育履歴管理システム。
【発明の詳細な説明】
【技術分野】
【０００１】
本発明は、ＩＣタグの技術、植物（作物）の生育（栽培）の技術、及び情報通信を用いた個体追跡管理（トレーサビリティ）の技術などに関する。
【背景技術】
【０００２】
各種分野・用途において、ＩＣタグ（ＲＦＩＤタグ等）が利用されている。【０００３】
植物の分野において、従来、生育した植物（あるいは収穫した作物）に札などを紐で括り付け（あるいはシール貼り付け等）、札に必要な情報を手書き等して情報管理することは行われていた。しかしながら、似通った植物名や目視では違いがわかりにくい植物の値札などに対して札を取り違える等の間違いが発生しやすく、個体管理は十分ではなかった。【０００４】
また、植物の分野において、ＩＣタグを利用する技術例として、収穫後の植物の個体に紐などでＩＣタグを取り付けて、流通や販売などの管理を行うことが可能である（トレーサビリティ管理）。【０００５】
上記植物の個体管理、トレーサビリティ管理に関する先行技術例としては、特開２０１１−２４８７４１号公報（特許文献１）、特開２００７−１３０００７号公報（特許文献２）などがある。【０００６】
特許文献１（「農作物トレーサビリティシステム」等）では、収穫後の穀物のように、農地から集荷倉庫・運搬機械・出荷先納入倉庫までをトレース・管理する旨の技術が記載されている。特許文献１では、「農作物トレーサビリティの仕組みは、最初のＩＤ付与が、農作物が保管庫や作業場所に運搬された後に付与され、また、穀物のようにばら荷で扱われる農作物にはＩＤ付与が困難なため、正しく対象とする農地から収穫されたものであるという保障が無かった」といった課題が記載されている。また、位置情報（ＧＩＳやＧＰＳ）を用いた機械（収穫機械など）のＩＤと地物（農地、倉庫など）のＩＤとの関係付け（農地と農作物との関係付け）について記載されている。【０００７】
特許文献２（「農産物の栽培履歴管理方法」）では、農作物（植物）の個体の遺伝子検定によって、栽培地域・栽培時期・栽培方法（栽培条件）を判定（識別・認証）し、栽培履歴管理を可能とする旨の技術が記載されている。【０００８】
また従来、露地やハウス等に限らず例えば植物工場などの施設で照明などを制御して計画的（大規模、精密）に植物を栽培することも行われている。しかしながら、植物工場などで植物個体のタネの発芽の段階から個体管理が可能なシステム等は実現されていない。例えばトレーやパレット等の単位での目視による管理は行われているが、大規模化や精密化は困難である。
【先行技術文献】
【特許文献】
【０００９】
【特許文献１】特開２０１１−２４８７４１号公報
【特許文献２】特開２００７−１３０００７号公報
【発明の概要】
【発明が解決しようとする課題】
【００１０】
生育・収穫した植物を流通する段階では、ＩＣタグ等を用いた個体管理・トレーサビリティ管理のシステムが実現されている。しかしながら、植物の生育の段階では、植物の個体、即ちタネ（種）の状態やあまり生育していない苗などの状態の植物にＩＣタグを取り付けて管理することは、難しいため、個体管理・トレーサビリティ管理が十分に実現できていない。例えばタネよりもＩＣタグの方が大きく、タネにＩＣタグを取り付けることがしにくい等、タネや苗などにＩＣタグを取り付けてその状態を保持し続けることが難しい。また例えば、土に植えられたタネの近くにＩＣタグを配置したとしても、タネの発芽・成長の過程でＩＣタグとの位置関係が変動してしまい、位置関係が不明になってしまうと個体管理はできない。【００１１】
また、タネや苗の培地（用土）には水分などが含まれているため、電磁波を扱うＩＣタグを利用することが難しい。即ちＩＣタグとそのＩＤ情報などを読み書きするタグリーダライタ装置との間で電波が授受されるが、その電波が培地の水分などに吸収されることで応答性が下がるという不安定性がある。【００１２】
なお前記特許文献１のような技術では、１つのタネの発芽から収穫まで（生育段階）をトレース・個体管理することは難しい。また前記特許文献２のような技術では、ＩＣタグのように、瞬時、非接触、非破壊的に検出することはできない。【００１３】
以上を鑑み、本発明の主な目的は、植物のタネの状態から発芽・育苗などの生育の段階を経て収穫などに至るまでの過程（生育工程）を少なくとも対象として、非接触・非破壊的な個体管理（ＩＤ情報管理など）が実現できる技術を提供することである。更には、生育工程だけでなく流通工程や消費工程などを含めた総合的な植物個体管理・トレーサビリティ管理などを実現し、消費者側も生育情報を閲覧することができる仕組みを提供することである。
【課題を解決するための手段】
【００１４】
本発明のうち代表的な形態は、ＩＣタグを用いた植物生育履歴管理システム（情報処理システム）、等であって、以下に示す構成を有することを特徴とする。本形態のシステムは、ＩＣタグを用いて、植物のタネの状態から発芽・育苗などの段階を経て収穫などに至るまでの過程（生育工程）を少なくとも対象として、非接触・非破壊的な個体管理・トレーサビリティ管理などを実現する。【００１５】
本形態のシステムは、植物をタネの状態から生育する生育工程における生育者の端末と、植物のタネを付着させて土に植えることができる構造のＩＣタグと、ＩＣタグに記憶されるＩＤ（識別子）情報の読み書きが可能なタグリーダライタ装置と、生育者の端末からネットワークを通じてアクセスされる第１の管理サーバ装置と、第１の管理サーバ装置が管理し植物の生育履歴情報を格納する第１のＤＢとを有する。本システムでは、生育工程において、生育者によりＩＣタグに植物のタネを付着させて土に植えられ、タグリーダライタ装置によりＩＣタグのＩＤ情報が読み取られ、生育者の端末から第１の管理サーバ装置へアクセスし、植物のタネとＩＣタグのＩＤ情報とを関係付けた情報を第１のＤＢに格納することにより、当該植物のタネの状態からの個体管理を含む生育履歴管理を行う。【００１６】
第１の管理サーバ装置は、生育者の端末からのアクセスに対し、植物の生育履歴管理のための第１の画面を提供し、生育者の操作に基づき、第１の画面で、ＩＤ情報と、植物の名称、品種と、生育地と、生育者と、生育開始日、生育終了日と、培地・肥料・薬剤を含む生育方法ないし放射線の線種や線量なども含む生育環境の情報と、を参照及び編集可能とする。【００１７】
前記ＩＣタグは、例えば、アンテナ部と、ＩＣチップと、それらを被覆する防水性の本体部とを有する。本体部は、縦方向に伸びる軸部と、軸部から横方向に伸びる１つ以上の突起部とを有する。突起部は、植物のタネを付着・保持させるタネ付着部を有する。
【発明の効果】
【００１８】
本発明のうち代表的な形態によれば、植物のタネの状態から発芽・育苗などの生育の段階を経て収穫などに至るまでの過程（生育工程）を少なくとも対象として、非接触・非破壊的な個体管理が可能となる。更には、生育工程だけでなく流通工程や消費工程などを含めた総合的な植物個体管理・トレーサビリティ管理などを実現し、消費者側も生育情報と放射線の線種や線量なども含む生育環境情報などを閲覧することができる。これにより、特に、植物の個体管理に基づく、品種情報、施肥情報、気象情報、病虫害、薬剤散布情報などの情報管理による、精密な生育履歴管理など（生育方法・生育環境管理、生育段階を含む詳細なトレーサビリティ管理、精密農業など）が可能となる。
【図面の簡単な説明】
【００１９】
【図１】本発明の一実施の形態のシステム（ＩＣタグを用いた植物生育履歴管理システムを含んで成るシステム）の構成例（その１）として基本的なモデルを示す図である。
【図２】本実施の形態のシステムの構成例（その２）として特に生育工程の構成例を示す図である。
【図３】本実施の形態のシステムの構成例（その３）として特に生育工程と流通工程との連携の構成例を示す図である。
【図４】本実施の形態のシステムの構成例（その４）として特に第三者による診断工程との連携の構成例を示す図である。
【図５】本実施の形態のシステムの構成例（その５）として特に生育者による詳細管理と消費者への説明情報とを分離し連携する構成例を示す図である。
【図６】本実施の形態のシステムでの第１の管理テーブル（生育者用の詳細管理用のテーブル）の構成例を示す図である。
【図７】本実施の形態のシステムでの第２の管理テーブル（消費者用の説明情報のテーブル）の構成例を示す図である。
【図８】本実施の形態のシステムでの第１の画面例（生育者用の詳細管理の参照・編集画面）の構成例を示す図である。
【図９】本実施の形態のシステムでの第１の画面例（消費者用の説明情報の参照画面）の構成例を示す図である。
【図１０】本発明の一実施の形態のＩＣタグ（植物用ＩＣタグ）の構成を示す図である。
【図１１】（ａ）はタグ（タネ付き）を土に植える際の状態を示し、（ｂ）はタグ（タネ付き）を土に植えた後の状態を示す説明図である。
【図１２】タグに付着されたタネが発芽・生育した状態の例を示す説明図である。
【発明を実施するための形態】
【００２０】
以下、本発明の実施の形態（植物用ＩＣタグ等）を図面に基づいて詳細に説明する。なお、実施の形態を説明するための全図において、同一部には原則として同一符号を付し、その繰り返しの説明は省略する。
【００２１】
本実施の形態のシステム（図１〜図５等）では、ＩＣタグ１のＩＤをキーとして利用して、対象の植物のタネ１０の状態からの発芽・育苗などを経て収穫などに至る生育工程における個体管理を含む生育履歴管理の機能を提供する。詳しくは、施肥や薬剤などの要素を含む生育方法や放射線の線種や線量なども含む生育環境の管理を含む精密な管理を実現できる。本システムでＩＣタグ１のＩＤに関係付けられた生育履歴情報を管理サーバ１０１のＤＢ５１に記録・管理し、ユーザ操作により画面で参照・編集可能とする。ＩＣタグ１の構造の工夫により、生育時に、ＩＣタグ１にタネ１０を付着させた状態で培地に植え、そのタネ１０とＩＣタグ１との位置関係が生育中保持される。これにより確かな個体管理を実現する。
【００２２】
［システム構成（１）］
図１に、本実施の形態のシステム（ＩＣタグを用いた植物生育履歴管理システム）１００の構成として基本的なモデルを示している。全体は、大別すると、生育者Ｕ１の端末２０１及び管理サーバ１０１等を含む生育工程の部分と、一般的（公知技術）な流通工程の部分と、消費者Ｕ２の端末２０２を含む消費工程の部分とを有し、相互にネット９０（インターネット、通信網）で接続される構成である。
【００２３】
第１に、本システム１００では、生育工程で、ＩＣタグ１及び管理サーバ１０１の機能（サービス）等を用いることで、生育者Ｕ１が、タネ１０（植物４０）個体の生育履歴をＤＢ５１に管理（参照・編集等）することができる。
【００２４】
第２に、本システム１００では、消費工程で、管理サーバ１０１の機能（サービス）等を用いることで、消費者Ｕ２が、植物（作物）４５の生育履歴情報（生育者Ｕ１側が提供する情報）を閲覧することができる（なお生育者Ｕ１が提供（閲覧）を許可する場合）。
【００２５】
生育工程で、生育者Ｕ１は、ＩＣタグ１を用いて、対象の植物４０，４５について、タネ１０の状態から発芽・育苗などを経て収穫などに至る段階について、個体管理・生育履歴管理を行う。この生育は、特定の生育環境（土、空気、光などの諸要素（諸条件）を含む）に対応付けられた特定の生育方法によって行われる。
【００２６】
生育者Ｕ１はタグリーダライタ装置３０に連携する自分の端末２０１（例えばＰＣや携帯端末）を操作して管理サーバ１０１にアクセスし、管理サーバ１０１により提供される画面で、ＤＢ５１（植物生育履歴管理ＤＢ（ＩＤ別植物生育台帳））に、対象植物の生育履歴管理情報を入力（記録）可能である。なおタグリーダライタ装置３０と端末２０１が一体の構成でもよい。
【００２７】
生育工程で生育した植物（作物）４５は、収穫後、流通工程などを経て、消費工程で示すように消費者Ｕ２の元へ届けられる。なお流通工程では例えば生育時のＩＤと流通時のＩＤとが関係付けられる。消費者Ｕ２は、自分の端末２０２を操作して管理サーバ１０１にアクセスし、管理サーバ１０１により提供される画面で、ＤＢ５１の情報（生育者Ｕ１が許可する情報）を閲覧することができる。その際は例えば、消費者Ｕ２は、購入する又は購入した植物４５に付いた札７１などに記載されているＩＤ等の情報を目視して手入力したり、あるいは当該ＩＤのバーコードの読み取り操作などにより、端末２０２から管理サーバ１０１へアクセスされ、当該植物４５に関係付けられたＤＢ５１の生育情報などが画面に表示され閲覧できる。
【００２８】
管理サーバ１０１及びＤＢ５１は、事業者により管理され、顧客（Ｕ１，Ｕ２）に対してサポートを含めたサービスを提供する。
【００２９】
生育工程での個体管理のみを行う場合、例えば収穫・出荷時に植物４０からタグ１が取り外され、取り外されたタグ１が再利用可能である。また生育工程後（収穫後）も継続して個体管理・トレースを行う場合は、例えば収穫・出荷時にタグ１が付いた状態の植物４０をそのまま流通工程へ引き渡し、流通工程でそのタグ１のＩＤを用いて個体管理・トレースを行ってもよい。また例えば作物４５の出荷時にタグ１は引き渡さず、ＤＢ５１に個体管理済みの情報を流通工程のシステムへ引き継ぐように連携・提供してもよい（図３）。
【００３０】
［システム構成（２）］
図２に、本システム１００における図１の生育工程の詳細に関する構成例を示している。なお説明上、生育工程とは、タネ１０の種蒔きから育苗を経て植物（作物）４５の収穫に至る過程を指している。まず生育環境として図示している部分は、後述の図１１等に対応している。生育者Ｕ１はタネ１０を付着させたＩＣタグ１を土２０に植える。生育者Ｕ１はリーダライタ装置３０（ＲＷ）でＩＣタグ１のＩＤ情報を読み書きできる。
【００３１】
なお、生育工程で生育者Ｕ１が植物個体のＩＤを管理サーバ１０１へ入力する手段としては、リーダライタ装置３０（ＲＷ）によるＩＣタグ１のＩＤの読み取りだけでなく、後述の消費工程の消費者Ｕ２と同様に、植物に括り付けられた札などの情報を目視確認して端末２０１に手入力してもよいし、バーコード等の情報の読み取りによるものとしてもよい。
【００３２】
また生育環境にはセンサ３５等を設置し、例えば温度や湿度などの環境ｊｈに加えて放射線の線種や線量なども含む情報を取得してもよい。センサ３５の情報を本システムの管理サーバ１０１へと通信などで取得し、ＤＢ５１に生育履歴情報の一部として格納する。
【００３３】
生育者Ｕ１は、タグリーダライタ装置３０及び端末２０１を用いて、管理サーバ１０１のＤＢ５１に対し、植物の生育の段階に応じた各種の情報の記録などの操作が可能である（例えば以下）。
【００３４】
（１）  生育開始時（例えば種蒔き時）に情報を記録する。生育者Ｕ１は、対象の植物のタネ１０とＩＣタグ１のＩＤとを関係付ける。生育環境で図示のようにタネ１０を蒔く（土２０に植える）際に、ＩＣタグ１にタネ１０を付着させた状態で植える。そしてＤＢ５１に対し、ＩＣタグ１のＩＤに関係付けて、植物の名称や品種、生育者情報、生育地情報、種蒔き日時などを記録（登録）する。
【００３５】
（２）  また、生育者Ｕ１は、生育の段階（作業や状態など）に応じて随時、ＩＣタグ１のＩＤ確認と共に、ＤＢ５１に情報を記録する。例えば、施肥や薬剤散布などの作業に伴い、その施肥情報や薬剤情報をＤＢ５１に記録する。また生育環境の気候情報などを記録する。さらに必要に応じて放射線の線種や線量なども含む情報を記録する。
【００３６】
（３）  また、生育者Ｕ１は、生育方法（ないし生育環境）の情報を、随時または最初（１）の時に、ＤＢ５１に記録する。生育方法（生育環境）として、上記の施肥や薬剤などの要素を含むが、特に、生育者Ｕ１の独自の工夫による要素や作業やメモなどがあれば記録する。例えば高付加価値の植物を生育することができる好適な条件を構成する施肥や薬剤などの条件を記録してもよい。
【００３７】
（４）  生育終了時（例えば収穫時）に情報を記録する。生育者Ｕ１は、例えば収穫した作物のＩＣタグ１のＩＤ確認と共に、収穫日時などの情報をＤＢ５１に記録する。また、生育者Ｕ１は、ＤＢ５１の記録情報を出力する操作ができる。例えば、収穫した植物（作物）４５の出荷など、流通工程への連携のために、ＤＢ５１の記録情報を出力する操作ができる。例えば、当該操作（指示）により、流通工程のシステム（図３）等への連携のため、管理サーバ１０１は、ＤＢ５１から、生育時のＩＣタグ１のＩＤや生育履歴などの情報を読み出し（抽出し）、所定の形式で印刷やデータ送信などができる。流通工程のシステム等では、当該データ情報を用いてＩＤや履歴の引継ぎや関係付け等ができる。
【００３８】
管理サーバ１０１は、Ｗｅｂサーバ部６１とＤＢ５１とを備える。ＤＢ５１は管理サーバ１０１の外部に接続されてもよい。管理サーバ１０１（６１）は、サーバ装置におけるプロセッサ及びメモリ等による一般的なソフトウェアプログラム処理などで実現できる。
【００３９】
管理サーバ１０１のＷｅｂサーバ部６１は、ユーザ（Ｕ１）の端末２０１に対して、ＧＵＩ（グラフィカルユーザインタフェース）となる画面（Ｗｅｂページ）を提供する処理を含む所定のサービス処理（植物個体の生育履歴管理機能）を提供する。
【００４０】
［システム構成（３）］
図３に、本システム１００の構成例として、更に、生育工程と流通工程との連携に関する構成例を示している。特に流通工程のトレーサビリティ管理システム７０と連携する場合の形態である。まず生育工程（Ｓ１）で示す部分は前述同様である。流通工程（Ｓ２）で示す部分においては、詳しくは、一般的な工程として、入出荷の工程、加工・配送の工程、広告・販売の工程などを有する。これらの工程を経て、消費者Ｕ２の元へ植物４５（商品）が届く。
【００４１】
入出荷の工程で、生育工程（Ｓ１）から出荷された植物（作物）４５を入荷する。そして、その植物４５の生育時のＩＤ（前述のＩＣタグ１及びＤＢ５１で管理していたＩＤ）に対し、流通工程（トレーサビリティ管理システム７０）で用いるＩＤを関係付けて登録する。なお生育時のＩＤをそのまま引き継いで使用するようにしてもよいし、流通用の新規のＩＤを発行して２種類のＩＤを関係付けて管理してもよい。そして、その植物４５を他の工程へ出荷する際、例えば、その植物４５に紐などで札７１が取り付けられるが、その札７１にその植物４５のＩＤを含む情報が記載される。また札７１に限らず、シールや箱などに同様に記載可能である。
【００４２】
上記流通工程で植物４５に付与されるＩＤ等の情報は、トレーサビリティ管理システム７０のＤＢ７５（トレーサビリティ管理ＤＢ）に格納・管理される。トレーサビリティ管理システム７０は、ネット９０を介して、管理サーバ１０１のＤＢ５１にアクセスして生育時のＩＤや履歴情報を参照／取得してもよい。
【００４３】
配送工程や販売工程などにおいても、上記の植物４５（札７１等）に付与されているＩＤをもとにトレーサビリティ管理システム７０のＤＢ７５を参照することで、個体のトレースが可能である。上記のように、本システムで、生育工程（Ｓ１）だけでなく流通工程（Ｓ２）を含めた植物の個体管理・トレースが可能である。
【００４４】
［システム構成（４）］
図４に、本システム１００の構成例として、更に、第三者システム８０（診断工程）との連携について示している。第三者システム８０（診断工程）では、前述の生育工程で生育者Ｕ１によりＤＢ５１に記録された情報に関する診断などを行い、その結果情報を各者に対して提供可能とする。第三者システム８０（診断者Ｕ３）は、生育者Ｕ１に対しての第三者であり、第三者の視点から診断・評価、分析、審査や認証などを行う。なお第三者システム８０として既存のシステムや機関がある場合はそれとの連携を行う形態としてもよい。
【００４５】
第三者システム８０は、例えばサーバ装置やＤＢなどで構成され、ソフトウェアプログラム処理などで実現される診断部８１と分析部８２を備える。
【００４６】
診断部８１は、生育工程（生育者Ｕ１）の生育方法（生育環境）に関する診断・評価処理を行う。例えば、生育方法（生育環境）を構成する要素（例えば施肥，薬剤の他、必要に応じて放射線の線種や線量なども含む情報）に関して安全性などを評価する。この診断・評価は、例えば既存の学術情報や登録情報などを参照して行うことができる。また、診断部８１のソフトウェアプログラム処理だけでなく、人の作業（判断）を要する場合は、診断者Ｕ３により作業を行う。
【００４７】
分析部８２は、生育工程（生育者Ｕ１）により生育された植物４０，４５の成分などに関する分析・評価処理を行う。例えば、その植物４５に含まれている成分（栄養素など）に関して、効能（医学的効果）などを評価する。この分析・評価は、例えば既存の学術情報や登録情報などを参照して行うことができる。また、分析部８２のソフトウェアプログラム処理だけでなく、人の作業（判断）を要する場合は、診断者Ｕ３（分析者）により作業を行う。
【００４８】
診断者Ｕ３は、上記診断処理や分析処理に係わる人である。例えば第三者システム８０では、生育者Ｕ１からの診断／分析の依頼を受け、診断者Ｕ３により診断／分析作業を行うことができる。その際、診断者Ｕ３は、生育者Ｕ１の生育環境（生育地）に出向いて診断（例えば培地の診断）を行ってもよい。出向く必要が無い場合は、生育者Ｕ１から提供される情報（即ちＤＢ５１に記録される情報）を対象として診断／分析処理が行われる。
【００４９】
診断部８１は、生育工程のＤＢ５１の生育方法（放射線の線種や線量なども含む生育環境）などの情報を対象として安全性などに関する診断・評価処理を行い、その結果の情報を第三者システム８０内に格納する。あるいは、その結果の情報を管理サーバ１０１（ＤＢ５１）へ提供（格納）する。
【００５０】
分析部８２は、生育工程で生育された植物（作物）４５（またはその情報）を対象として成分などに関する分析処理を行い、その結果の情報を第三者システム８０内に格納する。あるいは、管理サーバ１０１（ＤＢ５１）へ提供（格納）する。診断結果や分析結果は、例えば所定の基準に基づき算出したスコアやランクなどとしてもよい。
【００５１】
消費工程で、消費者Ｕ２は、端末２０２から、植物４５のＩＤをもとに、上記第三者システム８０の診断結果情報や分析結果情報にアクセスして閲覧することができる。あるいは同様に、管理サーバ１０１のＤＢ５１に格納された診断結果情報や分析結果情報にアクセスして閲覧することができる。
【００５２】
［システム構成（５）］
図５に、本システム１００の構成例として、更に、生育者Ｕ１側が管理する情報と、消費者Ｕ２側が閲覧する情報とに分け、それぞれのサービスを提供する構成例を示す。生育者Ｕ１側のシステムとして第１の管理サーバ１０１、第１のＤＢ５１を有し、消費者Ｕ２側のシステムとして第２の管理サーバ１０２、第２のＤＢ５１を有する。
【００５３】
生育工程の生育者Ｕ１側の構成は前述同様であり、端末２０１から第１の管理サーバ１０１の第１のＤＢ５１にアクセスし、詳細な生育履歴管理が可能である（Ｕ２側はアクセスしない）。一方、消費工程の消費者Ｕ２側は、端末２０２から第２の管理サーバ１０２の第２のＤＢ５２にアクセスし、植物４５に関する生育者Ｕ２側のＤＢ５１の生育情報（生育履歴情報）に関するわかりやすい説明情報が閲覧可能である。第２の管理サーバ１０２（Ｗｅｂサーバ部６２）は、ＤＢ５１の情報をもとに、消費者Ｕ２に対するわかりやすい説明や広告などの説明情報を作成してＤＢ５２に格納し、その説明情報を消費者Ｕ２（端末２０２）に対して画面（Ｗｅｂページ）で提供する機能を有する。
【００５４】
第１のＤＢ５１はマスタとなり、第２のＤＢ５２の内容を作成するために参照される。本構成例では、第２の管理サーバ１０２は、情報変換部５０１（説明情報作成部）を備え、情報変換部５０１は、第１の管理サーバ１０１の第１のＤＢ５１のデータ情報を参照して第２のＤＢ５２の内容を作成する処理を行う。情報変換部５０１は、第１のＤＢ５１のデータ情報（生育履歴情報）を参照・取得などし、データ情報（生育履歴情報の各項目の情報）の抽出（コピー）や変換やリンク（関係付け）などの処理を行うことで、第２のＤＢ５２の内容（説明情報の各項目の情報）を作成する。
【００５５】
生育者Ｕ１（またはサポータ等）は、情報変換部５０１を用いて、端末２０１の画面で、ＤＢ５１の生育履歴情報を用いながら、説明情報を作成・編集することができる。例えば生育方法に関する説明文などを入力したり、説明情報として消費者Ｕ２に対し提示（表示）する項目や提示しない項目を選択指定することができる。
【００５６】
Ｗｅｂサーバ部６２は、第２のＤＢ５２のデータ情報（説明情報）を用いた画面（Ｗｅｂページ）を作成して消費者Ｕ２の端末２０２などに対して提供する。この画面（Ｗｅｂページ）で消費者Ｕ２へ提供する情報においては、第１のＤＢ５１の内容（詳細な生育履歴管理情報）と同じ基本的な情報（ＩＤ，植物名，品種，生育方法名称／ＩＤなど）だけでなく、生育方法・生育環境などを含む当該植物４５に関する内容を消費者Ｕ２に対してわかりやすく説明するための説明情報を含む。またこの説明情報において前述（図４）の第三者システム８０での診断情報や分析情報を含めることができる。
【００５７】
また図５の構成例では、第２の管理サーバ１０２にＥＣ処理部５０２を備える。ＥＣ処理部５０２では、ＥＣ（電子商取引）のサービス処理として、当該管理サーバ１０２によるサイト（Ｗｅｂページ）における消費者Ｕ２等に対する植物（作物）４５の販売（通信販売）などを可能とする。このＥＣサービス処理（販売情報）と連携して、第２のＤＢ５２による説明情報を提供する。
【００５８】
なお情報変換部５０１等は、第２の管理サーバ１０２内に限らず、ネット９０上の他の位置に設けられてもよい。例えば第１の管理サーバ１０１側に５０１が設けられてもよい。あるいは、例えば事業者による独立したサーバに５０１を設けて管理する構成とし、事業者が第１のＤＢ５１の情報から第２のＤＢ５２の説明情報を作成するサービス（サポート）を提供してもよい。
【００５９】
流通工程（販売・広告等の工程）を経由して、消費工程では、消費者Ｕ２が例えば小売店などで購入した作物４５の札７１などに記載されているＩＤ情報などを端末２０２で入力する。例えば札７１のＩＤ情報を目視確認して端末１０２へ手入力してもよいし、ＩＤに対応したバーコードをリーダで読み取って入力してもよい。また、店舗に設置されている端末で同様に入力してもよい。これにより、端末２０２等からネット９０を通じて管理サーバ１０２（ＤＢ５２）へのアクセスが発生し、画面（Ｗｅｂページ）に当該植物４５に関する説明情報が表示され閲覧できる。
【００６０】
上記のように本構成例では、消費者Ｕ２が生育情報を閲覧する場合に、生育者Ｕ１側が参照している詳細情報（例えば薬剤情報）を閲覧してもわかりにくいため、わかりやすい説明情報を用意して提供することができる。
【００６１】
［テーブル（１）］
図６は、生育者Ｕ１が参照・編集することができるＤＢ５１の詳細管理のテーブル６０１（植物個体の生育履歴・生育方法の管理テーブル）の構成例を示す。本テーブル６０１は、ａのような基本情報と、ｂのような生育方法・生育環境の情報と、ｃのような生育履歴情報とを含む。またどれだけ放射線があったか等を示す放射線情報については、必要に応じて環境情報に入れたりあるいは生育履歴情報に入れてよい（図６では生育履歴情報に入れている）。
【００６２】
本テーブル６０１の管理項目として例えば以下を有する：
○植物個体ＩＤ（タグＩＤ）
○植物名（作物名，商品販売ブランド名など）
○品種
○生育地
○生育者
○生育開始日時（種蒔き日など）
○生育終了日時（収穫日など）
○生育方法名称／ＩＤ
○生育方法内容（ないし生育環境内容）
○生育履歴。
【００６３】
ｂの「生育方法内容」は、項目として例えば、培地、肥料、薬剤、作業、等を設定して値を記録可能である。例えば、培地項目では、生育環境における土２０の成分、温度、湿度、光（照明）、空気（ＣＯ２など）、等の各種条件値を記録可能である。また肥料項目では、施肥の成分（種類）や量、時期などを記録可能である。また薬剤項目では、散布などされる薬剤の成分（種類）や量、時期などを記録可能である。また作業項目では、例えば接ぎ木などの必要な作業の情報を記録可能である。また、説明文の項目では、生育方法（生育環境）に関して自由にテキスト等を入力可能である。例えば生育者Ｕ１による独自の工夫などを入力可能である。また例えば植物工場などの施設での栽培の場合、その施設やその栽培条件の情報を同様に項目で管理してもよい。
【００６４】
ｃの「生育履歴」は、種類として例えば、気候履歴情報、施肥履歴情報、薬剤履歴情報、病虫害対策履歴情報、作業履歴情報、品種改良交配記録情報（例えば接ぎ木管理情報）、等を設定して、時系列の履歴で値を記録可能である。
【００６５】
前述の生育環境に設置されたセンサ３５からは例えば気候情報や温度・湿度情報などを取得し、上記生育履歴として記録する。なおセンサ３５は必要に応じて放射線の線種や線量などの放射線情報が取得できるものとする。
【００６６】
なおテーブル６０１の各項目について、外部（消費者Ｕ２等）に対し閲覧を許可するかどうかについても設定可能である。
【００６７】
［テーブル（２）］
図７は、消費者Ｕ２が閲覧することができるＤＢ５２の説明情報のテーブル６０２（植物個体の生育履歴・生育方法の説明情報の管理テーブル）の構成例を示す。本テーブル６０２は、ａのような基本情報と、ｂのような生育方法・生育環境の情報と、ｃのような植物成分情報と、ｄのようなその他の情報とを含む。本テーブル６０２の内容は、テーブル６０１の内容とリンクしている。テーブル６０２のａの植物個体ＩＤなどの内容は、テーブル６０１のａの内容と同じである。テーブル６０２のｂの「生育方法内容（説明）」の情報は、テーブル６０１のｂの「生育方法内容」の情報をもとに情報変換部５０１の処理で作成された情報であり、生育者Ｕ１により入力された説明情報や、第三者システム８０による診断情報や分析情報が追加されている。説明文はテーブル６０２のみに格納してもよい。各情報は、直接格納またはリンクＵＲＬなどで記述される。また前述の生育者Ｕ１による消費者Ｕ２に対して提示する項目と提示しない項目との選択に応じて、例えば培地項目値は有り、肥料項目値は無し、といったようになる。
【００６８】
ｃの植物（作物）成分情報は、当該植物４５に含まれている成分の情報を管理する。各項目で、成分の名称や、その効能、その分析情報（前述の分析部８２による）などが記述される。また、必要に応じて、含有する放射線の線種や線量などが記述され、安全基準値参照のためのＵＲＬへリンクできる。
【００６９】
［画面例（１）］
図８は、管理サーバ１０１から生育者Ｕ１に対して提供する詳細管理の画面例（Ｇ１）を示す。Ｗｅｂサーバ部６１は、図６のテーブル６０１の各項目情報をもとに、Ｇ１のような画面（Ｗｅｂページ）を生成し、生育者Ｕ１の端末２０１に提供する。テーブル６０１の各項目の情報を画面Ｇ１内にフォーム等で表示し、各項目に情報の入力や選択などを可能とし、ボタン等で登録（設定）可能とする。生育履歴の欄では、生育年数を表示したり、気候履歴、施肥履歴、薬剤履歴といった各ボタンから選択して対応する履歴情報の詳細を表示して確認することができる。
【００７０】
［画面例（２）］
図９は、管理サーバ１０２から消費者Ｕ２に対して提供する説明情報の画面例（Ｇ２）を示す。Ｗｅｂサーバ部６２は、図７のテーブル６０２の各項目情報をもとに、Ｇ２のような画面（Ｗｅｂページ）を生成し、消費者Ｕ２の端末２０２に提供する。本画面Ｇ２では、ａのように対象の植物（作物）などの写真画像やＥＣ商品販売情報などを表示し、ｂのように植物名称などの基本情報と、ｃのように生育方法内容などの説明情報と、ｄのようにその植物に含まれている成分の説明情報などを表示する。このような説明情報の閲覧により、消費者Ｕ２はその植物・生育方法などをわかりやすく理解できる。
【００７１】
例えばｃの欄では、生育者Ｕ２が独自に工夫した生育方法・生育環境などの説明文や、その構成要素である培地、肥料、薬剤などの情報が表示される。また、各要素に関する診断情報が直接表示またはリンクが表示される。例えば消費者Ｕ２は診断情報リンクのクリックにより、診断情報の詳細を表示して閲覧することができる。例えば薬剤や必要に応じた放射線の診断情報の表示では、薬剤や必要に応じた放射線の安全性などを第三者システム８０（診断部８１）が診断・評価した結果が表示される。
【００７２】
またｄの含有成分の欄では、当該植物に含まれている成分（例えば栄養素）やその効能の情報が表示され、また第三者システム８０（分析部８２）による分析情報が同様に表示される。例えば、ある成分ａ、効能ａ、及びその分析情報の表示では、当該植物にその成分ａが含まれていることやその効能ａが確かなものなのか分析した結果が表示される。
【００７３】
消費者Ｕ２は、生育方法の説明文などを読み、診断情報や分析情報を閲覧することで、その植物に関する生育履歴の理解と共に、安全性や効能などを確認することができる。生育者Ｕ１は、消費者Ｕ２に対し自分の植物のアピールを安全性や効能などの保証と共にすることができ、販売促進などを図ることができる。
【００７４】
［生育工程（ＩＣタグを用いた生育履歴管理）］
次に、図１０〜図１２を用いて、生育工程でのＩＣタグ１を用いた生育履歴管理の詳細構成例について説明する。本実施の形態は、従来のようにタネにＩＣタグを括り付けるといった考え方ではなく、特徴的な構造のＩＣタグにタネを付着させるという考え方であり、これによりタネ（植物）とＩＣタグとの位置関係を安定的に保持し、生育工程でのタネ（植物）の個体管理を確かなものにする。
【００７５】
図１０に、本実施の形態のタグ１（植物用ＩＣタグ、タネ用ＩＣタグ）の構成例を示している。本タグ１の形状は一例であり各種バリエーションが可能である。
【００７６】
タグ１は、本体部（被覆部）２と、アンテナ部３と、ＩＣチップ４と、タネ付着部７とを有する。
【００７７】
本体部２は、防水性（耐水性）であり、例えばプラスチック等の材料で構成され、アンテナ部３及びＩＣチップ４を全体的に内蔵するように被覆している。本体部２は、構成要素として、縦方向の軸部を主として、頭部７（穴部８を含む）と、突起部５（タネ付着部６を持つ）と、先端部（足部）９とを有する。軸部は、アンテナ部３及びＩＣチップ４が縦方向で配置・内蔵されている。タグ１（本体部２）の外形として、土にタグ１を植えた際にタグ１の姿勢が保持されやすいように、本体部２（軸部）は概ね縦長の棒状（平板状）である。
【００７８】
アンテナ部３及びＩＣチップ４は、公知技術のＩＣタグ（ＲＦＩＤタグ等）を用いて構成可能である。本構成例では、アンテナ部３は、本体部２の縦長の軸部に沿って縦長で配置されている。またＩＣチップ４は、アンテナ部３の中心付近に配置されている。ＩＣチップ４は、メモリに少なくともＩＤ情報（個体管理に用いる識別子情報）が格納される。外部のタグリーダライタ装置（３０）により、アンテナ部３を介して電波の通信が行れることで、タグ１（ＩＣチップ４）のＩＤ情報などが読み取り及び書き込み可能になっている。タグ１とタグリーダライタ装置（３０）との通信は、例えばマイクロ波帯またはＵＨＦ帯の電波が使用され、タグ１とタグリーダライタ装置（３０）とが離れた非接触状態で検出・識別（ＩＤ情報読み取り等）が可能である。
【００７９】
突起部５（腕部）は、本体部２の軸部に対して横方向へ広がるように出ている部分であり、１つのタグ１に対して１つ以上を備える。各突起部５には、タネ付着部６が接続される。本構成例では、図示のように、軸部に対して横方向に伸びる２つ組みの突起部５（及びタネ付着部６）を縦方向で３段で計６つを備える形状である。即ち全体的には矩形の櫛歯形状である。
【００８０】
突起部５（及びタネ付着部６）は、後述（図１２）する根からみ用の機能を果たす。また突起部５（タネ付着部６）は、本構成例のように縦方向で２段以上存在する場合は、それらのどこにタネ１０を付着させるかによって、地面下（図１１）のタネ１０の位置（Ｙ１）を選択・調整することができる。
【００８１】
タネ付着部６は、タネ１０を付着保持させる部分であり、例えば両面テープなど、粘着剤を使用した手段などで構成可能である。タグ１の使用の際には、図示のように所望位置の突起部５のタネ付着部６にタネ１０が付着された状態となる。タネ付着部６の粘着剤の粘着力は、タネ１０を付着・保持させるのに十分・最低限な力があればよい。また、タネ付着部６は、タネ１０をその位置に保持できる手段であれば、粘着剤などに限らず他の手段で構成してもよい。
【００８２】
頭部７は、成育者（作業者）が土２０へタグ１を植える（埋める、挿す）作業の時や土２０からタグ１を抜く作業の時に手に持つ部分として使える。また植えた際に地面２０の上に出て引っ掛かり留まる部分となる。また植えた後に地面２０におけるタグ１の所在を示す目印となる。またタネ１０付きのタグ１を地面２０に植える際にどの程度までタグ１を挿せばよいかの目安となる。
【００８３】
また、頭部７は、その穴部８に紐やゴムなどで任意の物（例えば管理用の札）を括り付けることに使える。また、頭部７は、その穴部８に紐などで生育対象（個体管理対象）の植物（タネ１０から生育した植物）との括り付け（固定）をする場合に使える。また、頭部７は、接ぎ木などの際に使える。
【００８４】
先端部９は、タネ１０を付着したタグ１を土２０に植え込む際に挿し易いように、例えば尖った形状である。
【００８５】
タグ１の寸法は、例えばアンテナ部３の長さがＵＨＦ波帯用では１０ｃｍ程度、マイクロ波帯用では５ｃｍ程度を要し、これに頭部７や先端部９の所定の長さを加えた長さとすると好適である。更に詳細な寸法や形状などについては、適用対象のタネ１０（植物）の品種などに応じて、突起部５の数や間隔、大きさ・長さ等を設計したタグ１のバリエーションを用意して使い分けると好適である。
【００８６】
図１０の構成では、タグ１は全体的には所定厚さの平板状であり、本体部２の軸部に対する複数の突起部５は同一角度（同一平面）で設けられている。
【００８７】
図１１に、対象植物の生育環境において、成育者（作業者）により、タネ１０を付着させたタグ１を土２０に植える作業・状態の例を示している。図１１（ａ）は、タネ１０を付着させたタグ１を土２０に植える前、図１１（ｂ）は、タネ１０を付着させたタグ１を土２０に植えた後の状態である。
【００８８】
図１１（ａ）で、生育環境は、土（２０）、空気（ＣＯ２など）、水、光、肥料、農薬などの諸要素（諸条件）を含む。また生育環境は、露地、ハウス、施設などがある。２０は、地面、培地（用土）、施肥、苗床、ポットなどに相当する。なお図１１（ａ）では、タグ１の複数の突起部５及びタネ付着部６のうち１つを使用して１つのタネ１を生育する例を示している。
【００８９】
図１１（ｂ）で、土２０に植えられた後、タグ１の突起部５のタネ付着部６に付着されているタネ１０は、地面２０より少し下の位置（Ｙ１）にある。またこの状態で、地面２０の上空から、作業者がタグリーダライタ装置３０を使用（操作）することにより、タグ１との非接触・非破壊的な通信の発生によって、ＩＣチップ４に記憶されるＩＤ情報などを読み取り／書き込みが可能である。これによりタネ１０（対象植物及びその生育方法）の個体管理ができる。
【００９０】
タグ１（本体部２）が防水性であり、またタグ１が地表面（２０）の近く（植物の生え際）に配置されるため、上記タグリーダライタ装置３０でタグ１の情報を読み取る際には、通信の電波が土２０に含まれる水分などに吸収されにくく、安定的な通信が可能である。即ち個体管理がより確かになる。
【００９１】
上記のように、対象植物に応じて地面２０の少し下の所定の位置（Ｙ１）にタネ１０及び突起部５などが配置される。本タグ１は、このような配置に対応した好適な形状を有する。タネ付着部６にタネ１０が付着された状態で本タグ１が植えられた際に、地面２０から所定長さ下の位置（Ｙ１）になるように、タグ１の縦方向における突起部５及びタネ付着部６の位置などが設計されている。
【００９２】
図１２には、図１１（ｂ）の状態から続いて、対象植物４０がある程度生育した状態を示している。タネ付着部６のタネ１０が発芽し、生育に伴い上方に芽・茎１１などが伸び、葉１３が生え、下方に根１２が伸びた状態を示している。ここで、元のタネ１０の位置（Ｙ１）から、上方に茎１１などが伸び、下方に根１２が伸びており、当該位置（Ｙ１）は成長の中間点である。生育に伴い、茎１１や根１２などが伸びる際の力がタグ１に対しても働くが、図示のような配置及びタグ１構造であるため、タネ１０の位置（Ｙ１）に対応した突起部５（タネ付着部６）は、地表面近く、植物４０の生え際であるその位置（Ｙ１）に滞在し続ける。即ちタグ１は植物４０の生育に伴い移動されにくく安定的に最初の位置（植物４０との位置関係）を保持する。このように配置が保持されるので、タグ１のＩＤ情報の読み取りが植物の生育に依存しにくく安定的な通信が可能であり、個体管理がより確かになる。
【００９３】
また、図示のように、タネ１０から成育して下方向に伸びる根１２は、タグ１の軸部及び突起部５に対して絡むように伸びる（「根からみ」）。このように、根からみ等が生じやすいように、本タグ１は突起部５などの形状が設計されている。即ち特に、複数（多段）の突起部５による櫛歯形状である。成育中、このように根からみ等が生じることで、植物４０とタグ１とが離れにくくなるので、植物４０とタグ１との位置関係が維持される（結び付きがより一層強くなる）。そのためタグ１のＩＤ情報の読み取りによる個体管理がより確かになる。
【００９４】
本タグ１を用いた生育作業（植物生育方法）の例は以下である。下記の工程（手順）により、対象植物の生育時の個体管理を行う。
【００９５】
（１）  成育者Ｕ１（作業者）により、タグ１のタネ付着部６に対象のタネ１０を付着させる。
【００９６】
（２）  成育者Ｕ１により、タネ１０付きのタグ１を培地２０に植える。頭部２の位置などを目安に、地面２０に対し所定の深さまでタグ１を挿す。これによりタネ１０が所定の位置（Ｙ１）に配置される。
【００９７】
（３）  成育者Ｕ１により、適宜、タグリーダライタ装置３０を用いて、タグ１（ＩＣチップ４）に記憶されているＩＤ情報などのデータ情報を読み書きすることにより、個体識別・確認ができる。
【００９８】
（４）  更に、成育者Ｕ１により、上記タグリーダライタ装置３０の読み取り情報を用いて、端末２０１（タグリーダライタ装置３０と連携する）から管理サーバ１０１にアクセスし、前述の画面において各種の生育情報を入力・参照可能である。
【００９９】
生育工程のみでの個体管理を行う場合、例えば植物（４０または４５）の収穫・出荷時には、植物からタグ１を取り外す作業がされ、取り外されたタグ１は再利用可能である。生育工程だけでなく収穫後も継続して個体管理を行う場合は、例えば植物にタグ１が括り付けられたまま植物を収穫・出荷してもよいし、生育工程でのタグ１及びＤＢ５１によるＩＤ情報などを、前述の流通工程のトレーサビリティ管理システム７０等へ引き継ぐように連携・提供してもよい。
【０１００】
更に、ＩＤ情報を苗木販売時点の価格（値札）と関連付けることも可能であり、苗の段階では判断の付かない品種（例えばシシトウとトウガラシの区別など）の精度の高い識別が可能となる。
【０１０１】
［効果等］
以上説明したように、本実施の形態のシステムによれば、特徴的なＩＣタグ１を用いて、対象の植物のタネ１０の状態から発芽・育苗などを経て収穫などに至るまでの生育工程を少なくとも対象として、非接触・非破壊的な個体管理が可能となる。そして、その個体管理に基づく、品種情報、施肥情報、気象情報、病虫害、薬剤散布情報などを含む生育方法・生育環境などの情報管理による、詳細・精密な生育履歴管理・トレーサビリティ管理（精密農業など）が可能となる。従来の流通工程でのＩＣタグを用いた農産物のトレーサビリティ管理のシステムでは実現できていなかった、タネの状態からの精密な個体管理が実現でき、更に生育工程だけでなく流通工程や消費工程などを含めた生涯管理が可能であり、消費者Ｕ２なども生育工程の生育情報（生育履歴情報）やその説明情報を閲覧することができる。
【０１０２】
生育者Ｕ１（生産者）は、例えば自身が独自に工夫した生育方法・生育環境による、オーダーメイドの果実・野菜などの高価値の植物（作物）４５を生育し、その際の正確・詳細な生育履歴管理を特徴的なタグ１等を用いることで作業の手間を少なく実現できる。そして消費者Ｕ２に対し植物（作物）４５の生育方法や価値などをわかりやすく説明してアピールすることができる。本システムは、生育者Ｕ１（生産者）が消費者Ｕ２のニーズ等を考慮して高価値の農産物を栽培して販売することを支援できる。他に、植物４０，４５の例としては、薬用植物（例えば朝鮮人参など）、機能性野菜などが挙げられる。美味しさだけでなく、前述のように、必要に応じて放射線まで考慮した安全性や成分・効能（例えばファイトケミカルによる生体調節機能）などをアピールすることができる。安全性や効能などについては例えば第三者システム８０が診断・分析することで信頼性を保証・向上することができる。また本システムでは、植物個体の生育履歴として生育開始日から終了日までといったように生育年数などを管理でき、例えば特定の生育年数で高価値を持つ植物に関して、本システムでその生育年数を保証することができる。
【産業上の利用可能性】
【０１０３】
本発明は、各種の植物・農産物の生育（栽培）の段階を含む個体管理・トレース管理のシステム、植物工場などの施設での生育管理システムなどに利用可能である。
【図１】
0005899307.tif 000002
【図２】
0005899307.tif 000003
【図３】
0005899307.tif 000004
【図４】
0005899307.tif 000005
【図５】
0005899307.tif 000006
【図６】
0005899307.tif 000007
【図７】
0005899307.tif 000008
【図８】
0005899307.tif 000009
【図９】
0005899307.tif 000010
【図１０】
0005899307.tif 000011
【図１１】
0005899307.tif 000012
【図１２】
0005899307.tif 000013